(57)【要約】      （修正有）【課題】磁石の磁気の効果により、足の裏に刺激を与え、足の裏の血行が良くなり、疲労回復等の効果が期待される履物シートを提供する。【解決手段】履物シート１は、薄板状の足形シート１０と、足形シート１０の踏付け部、内踏まず部及びかかと部のそれぞれに設けられた薄板状の磁石２０とを備える。足形シート１０は、足形状の下側足形シート１６と、足形状で磁石２０が挿嵌される磁石孔１２ａが穿設された上側足形シート１２とからなり、下側足形シート１６と上側足形シート１２とが、一体に接着されている。【選択図】図１
0003186736.tif 000002
【実用新案登録請求の範囲】
【請求項１】
履物内に挿入又は装着する靴の中敷又は中底に用いる履物シートにおいて、
薄板状の足形シートと、
該足形シートの踏付け部、内踏まず部及びかかと部のそれぞれに設けられた薄板状の磁石とを備えることを特徴とする履物シート。
【請求項２】
前記足形シートが、足形状の下側足形シートと、足形状で前記磁石が挿嵌される磁石孔が穿設された上側足形シートとからなり、該下側足形シートと該上側足形シートとが、一体に接着されていることを特徴とする請求項１記載の履物シート。
【請求項３】
前記磁石が、直径１０ｍｍ〜２０ｍｍの円盤状で、前記足形シートの踏付け部、内踏まず部及びかかと部のそれぞれに２個又は３個ずつ設けられていることを特徴とする請求項１又は請求項２記載の履物シート。
【請求項４】
前記磁石が、幅１０ｍｍ〜２０ｍｍ、長さ３０ｍｍ〜５０ｍｍの略長方形であることを特徴とする請求項１又は請求項２記載の履物シート。
【請求項５】
前記足形シートが、竹炭による染め加工が施されていることを特徴とする請求項１〜請求項４記載の履物シート。
【考案の詳細な説明】
【技術分野】
【０００１】
本考案は、履物内に挿入又は装着する靴の中敷又は中底に用いる履物シートに関する。
【背景技術】
【０００２】
従来より、履物内に挿入又は装着する靴の中敷又は中底に用いる履物シートとして、いろいろな物が提案されている。例えば、特許文献１に示される靴中敷は、粘着性を有する弾性体からなり、足の踵部分と接する上面と履物の中底と接する下面とを有するシート状の基板部と、基板部の踵側の後端部に一体形成され、基板部の下面より突き出て履物の踵側の周縁部を側方より覆う壁板部とを備えている。この従来の靴中敷は、歩行時に、中底が履物から剥がれることなく、足の踵部分を履物の中底に固定できることを特徴とする。
【先行技術文献】
【特許文献】
【０００３】
【特許文献１】特開２０１０−２７９４４８号公報
【考案の概要】
【考案が解決しようとする課題】
【０００４】
しかしながら、従来の靴中敷では、単に履物内での固定性が期待できるのみで、足の疲れを癒やしたり、足の裏を介して疲労回復を促したりといった効果を期待することはできない。
【０００５】
本考案は、このような事情に鑑みてなされたもので、磁石の磁気の効果により、足の裏に刺激を与え、足の裏の血行が良くなり、疲労回復等の効果が期待される履物シートを提供することにある。
【課題を解決するための手段】
【０００６】
請求項１記載の履物シートは、薄板状の足形シートと、足形シートの踏付け部、内踏まず部及びかかと部のそれぞれに設けられた薄板状の磁石とを備えることを特徴とする。
【０００７】
請求項２記載の履物シートは、足形シートが、足形状の下側足形シートと、足形状で磁石が挿嵌される磁石孔が穿設された上側足形シートとからなり、下側足形シートと上側足形シートとが、一体に接着されていることを特徴とする。
【０００８】
請求項３記載の履物シートは、磁石が、直径１０ｍｍ〜２０ｍｍの円盤状で、足形シートの踏付け部、内踏まず部及びかかと部のそれぞれに２個又は３個ずつ設けられていることを特徴とする。
【０００９】
請求項４記載の履物シートは、磁石が、幅１０ｍｍ〜２０ｍｍ、長さ３０ｍｍ〜５０ｍｍの略長方形であることを特徴とする。
【００１０】
請求項５記載の履物シートは、足形シートが、竹炭による染め加工が施されていることを特徴とする。
【考案の効果】
【００１１】
請求項１〜請求項４の考案によれば、足形シートの踏付け部、内踏まず部及びかかと部のそれぞれに磁石を備えており、その磁石の磁気の効果により、足の裏に刺激を与え、足の裏の血行が良くなり、疲労回復等の効果が期待される。
【００１２】
請求項５の考案によれば、足形シートに竹炭による染め加工が施されていることから、竹炭の脱臭等の効果により、履物内の臭いを抑えたり衛生に保ったりすることができる。
【図面の簡単な説明】
【００１３】
【図１】本考案に係る履物シートの第１の実施例を示す平面図及び底面図である。
【図２】同履物シートの図１のＡ−Ａ’線矢視断面図である。
【図３】本考案に係る履物シートの第２の実施例を示す平面図及び底面図である。
【考案を実施するための形態】
【００１４】
本考案における履物シートは、履物内に挿入又は装着する靴の中敷又は中底に用いるものである。この履物シートは、薄板状の足形シートと、足形シートの所定の位置に設けられた磁石とにより構成されている。以下、本考案の形態について具体的な実施例を、図面を参照しながら説明する。尚、下記の実施例では、中敷の形状について説明するが、中底についても同様な構成を有しているので、説明を省略する。
【実施例１】
【００１５】
図１は、本考案に係る履物シートの第１の実施例を示す平面図及び底面図である。図２は、同履物シートの図１のＡ−Ａ’線矢視断面図である。図１及び図２における実施例１の履物シート１は、足形シート１０と磁石２０とから構成されている。
【００１６】
足形シート１０は、薄板状で、足の裏の外形形状に形成されている。材質的には、布や不織布や革等の他、合成樹脂であってもよく、履物の中敷や中底に適しているものであればよい。また、布や不織布等の染めが可能な材質の場合、竹炭による染め加工を行うようにしてもよい。
【００１７】
実施例１における足形シート１０は、外側形状が同一に形成された上側足形シート１２と下側足形シート１６とで構成されている。下側足形シート１６は、単に足の裏の外形形状に形成されているのみであるが、上側足形シート１２は、複数箇所に磁石孔１２ａが穿設されている。そして、上側足形シート１２と下側足形シート１６とを貼り合わせることで、足形シート１０が形成されている。尚、足形シート１０の厚さは、上側足形シート１２と下側足形シート１６との厚みの合計であるが、履物の中敷や中底として好ましい厚みであればよく、また、好ましくは、後述する磁石２０が足形シート１０の表面に突出しない厚みである。
【００１８】
上側足形シート１２の踏付け部、内踏まず部及びかかと部のそれぞれに、３ヶ所又は２ヶ所の複数の磁石孔１２ａが穿設されており、その磁石孔１２ａに薄板状の磁石２０が嵌め込まれている。磁石２０は、直径が１０ｍｍ〜２０ｍｍの円盤状で、厚みは約１．５ｍｍである（すなわち、上側足形シート１２の厚みは、磁石２０の厚みにあわせて定まることになる）。磁石２０の材質は、特に限定されるものではないが、磁束密度が３０ｍＴ〜２００ｍＴの磁気のものが好ましい。
【実施例２】
【００１９】
図３は、本考案に係る履物シートの第２の実施例を示す平面図及び底面図である。図３における実施例２の履物シート１は、足形シート３０と磁石４０とから構成されている。
【００２０】
足形シート３０は、薄板状で、足の裏の外形形状に形成されている。材質的には、布や不織布や革等の他、合成樹脂であってもよく、履物の中敷や中底に適しているものであればよい。また、布や不織布等の染めが可能な材質の場合、竹炭による染め加工を行うようにしてもよい。
【００２１】
実施例２における足形シート３０は、外側形状が同一に形成された上側足形シート３２と下側足形シート３６とで構成されている。下側足形シート３６は、単に足の裏の外形形状に形成されているのみであるが、上側足形シート３２は、複数箇所に磁石孔３２ａが穿設されている。そして、上側足形シート３２と下側足形シート３６とを貼り合わせることで、足形シート３０が形成されている点は、実施例１の足形シート１０と同様である。尚、足形シート３０の厚さは、上側足形シート３２と下側足形シート３６との厚みの合計であるが、履物の中敷や中底として好ましい厚みであればよく、また、好ましくは、後述する磁石４０が足形シート３０の表面に突出しない厚みである。
【００２２】
上側足形シート３２の踏付け部、内踏まず部及びかかと部のそれぞれに、長方形の磁石孔３２ａが穿設されており、その磁石孔３２ａに薄板状の磁石４０が嵌め込まれている。磁石４０は、幅１０ｍｍ〜２０ｍｍ、長さ３０ｍｍ〜５０ｍｍの略長方形で、厚みは約１．５ｍｍである（すなわち、上側足形シート３２の厚みは、磁石４０の厚みにあわせて定まることになる）。磁石４０の材質は、特に限定されるものではないが、磁束密度が３０ｍＴ〜２００ｍＴの磁気のものが好ましい。
【００２３】
以上のような実施例１及び実施例２の履物シート１及び履物シート２によれば、足形シート１０，３０の踏付け部、内踏まず部及びかかと部のそれぞれに磁石２０，４０を備えており、その磁石２０，４０の磁気の効果により、足の裏に刺激を与え、足の裏の血行が良くなり、疲労回復等の効果が期待される。
【００２４】
また、足形シート１０，３０に竹炭による染め加工を施すことで、竹炭の脱臭等の効果により、履物内の臭いを抑えたり衛生に保ったりすることができる。
【産業上の利用可能性】
【００２５】
本考案により、磁石の磁気の効果により、足の裏に刺激を与え、足の裏の血行が良くなり、疲労回復等の効果が期待される履物シートを提供することができる。
【符号の説明】
【００２６】
１・・・・・履物シート
２・・・・・履物シート
１０・・・・足形シート
１２・・・・上側足形シート
１２ａ・・・磁石孔
１６・・・・下側足形シート
２０・・・・磁石
３０・・・・足形シート
３２・・・・上側足形シート
３２ａ・・・磁石孔
３６・・・・下側足形シート
４０・・・・磁石
【図１】
0003186736.tif 000003
【図２】
0003186736.tif 000004
【図３】
0003186736.tif 000005
【手続補正書】
【提出日】平成25年8月21日(2013.8.21)
【手続補正１】
【補正対象書類名】実用新案登録請求の範囲
【補正対象項目名】請求項５
【補正方法】変更
【補正の内容】
【請求項５】
前記足形シートが、竹炭による染め加工が施されていることを特徴とする請求項１〜請求項４のいずれか一項に記載の履物シート。